(57)【要約】【課題】小型かつ安価で、測定時間が短く、被検査物にダメージを与え難い検査が可能な物質特性検査装置を提供する。【解決手段】搬送部２にて搬送される被検査物Ｗに対し、被検査物Ｗの任意の物質特性によって被検査物Ｗの透過光または反射光の光強度が変化する波長の光を光源３から照射部４を介して照射し、被検査物Ｗの透過光を受光部５にて受光する。信号検出部６は、受光部５にて受光した透過光の光強度を検出する。処理部９は、物質特性値入力部７で入力した複数のテストピースの物質特性値と信号検出部６で検出した複数のテストピースの透過光の光強度から物質特性値と光強度の関係式を算出し、信号検出部６で検出した被検査物Ｗの透過光の光強度と物質特性値と光強度の関係式から被検査物Ｗの物質特性値を算出し、算出した被検査物Ｗの物質特性値と検査設定値入力部８より入力された検査設定値とを比較して被検査物Ｗの良否を判定する。【選択図】図１
2020085467.tif 000002
【特許請求の範囲】
【請求項１】
被検査物（Ｗ）を搬送する搬送部（２）と、
前記搬送部にて搬送される前記被検査物の任意の物質特性によって該被検査物の透過光または反射光の光強度が変化する波長の光源（３）と、
前記光源を前記被検査物に照射する照射部（４）と、
前記被検査物の前記透過光または反射光を受光する受光部（５）と、
前記受光部からの出力信号から前記透過光または反射光の光強度を検出する信号検出部（６）と、
物質特性値が既知である複数のテストピースの物質特性値を入力する物質特性値入力部（７）と、
前記被検査物の良否を判定するための検査設定値を入力する検査設定値入力部（８）と、
前記信号検出部で検出した前記透過光または反射光の光強度から前記被検査物の物質特性値を求める処理部（９）と、を備え、
前記処理部は、前記物質特性値入力部で入力した前記複数のテストピースの物質特性値と前記信号検出部で検出した前記複数のテストピースの透過光または反射光の光強度から物質特性値と光強度の関係式を算出し、前記信号検出部で検出した前記被検査物の透過光または反射光の光強度と前記関係式から前記被検査物の物質特性値を算出し、算出した前記被検査物の物質特性値と前記検査設定値入力部より入力された検査設定値とを比較して前記被検査物の良否を判定することを特徴とする物質特性検査装置。
【請求項２】
前記被検査物（Ｗ）に照射される光に一定周期の変調を加える光チョッパ（１２）を備え、
前記信号検出部（６）は、前記光チョッパにて変調した変調光に同期した参照信号を用いたロックインアンプ方式にて同期検波することを特徴とする請求項１に記載の物質特性検査装置。
【請求項３】
前記検査設定値と、前記関係式を算出する際に得た統計データとから前記被検査物（Ｗ）の良否を判定するための判定範囲を自動的に設定することを特徴とする請求項１または２に記載の物質特性検査装置。
【請求項４】
前記物質特性値入力部（７）は、複数の物質特性から選択し、選択した物性特性に対する前記テストピースの既知の物質特性値を入力することを特徴とする請求項１〜３の何れかに記載の物質特性検査装置。
【請求項５】
前記物質特性値はリニアデータであり、前記光強度は対数データであることを特徴とする請求項１〜４の何れかに記載の物質特性検査装置。
【発明の詳細な説明】
【技術分野】
【０００１】
本発明は、食品や薬品などに含まれる任意の物質の含有量や、密度、打錠圧、空隙率などの物質特性を検査する物質特性検査装置に関する。
【背景技術】
【０００２】
従来、食品や薬品などの試料を定量分析する方法としては、試料に赤外線を照射し、分子の固有振動に起因する吸収を測定する赤外吸収スペクトル分析（赤外分光分析）や、物質の大きさ・吸着力・電荷・質量・疎水性などの違いを利用して、物質を成分ごとに分離するクロマトグラフィー分析や、強力磁場中で原子核のエネルギー遷移を試料に加えた電磁エネルギーの吸収として測定し、同時に核周囲の電子による反磁性の差などで生じた化学シフトで分子の構造や運動状態などの性質を調べる核磁気共鳴吸収分析や、電子ビームやＸ線などの高エネルギー源で試料をイオン化し、電磁界などを用いて質量数ごとにイオン量を測定する質量分析などが知られている。
【０００３】
しかし、上述した何れの方法も装置構成が大規模で、しかも高価である。また、赤外吸収スペクトル分析（赤外分光分析）は、広帯域赤外線を照射する投光器と分光器が用いられ、上述した方法の中では装置が比較的に小型で安価であるが、透過性が悪い被検査物を測定する場合には高出力の広帯域赤外線を被検査物に照射する必要があり、高出力の広帯域赤外線を照射することによって被検査物にダメージを与えることもある。また、吸収スペクトルを測定するため、測定に時間がかかる。
【０００４】
しかしながら、錠剤などの製造工程における検査では、被検査物にダメージを与えることなく、非破壊でかつ高速で測定することが要求される。
【０００５】
ところで、食品などに含まれる成分含有量を推定する技術として、従来、下記特許文献１に開示される近赤外分光分析による成分含有量推定法が知られている。この特許文献１は、成分含有量既知のサンプルに対して所定成分を吸収する領域の波長の近赤外線を照射して吸光度を測定し、その吸光度を演算して説明変数にするとともに前記サンプルの所定成分の含有量を目的変数にして回帰分析を行い、検量線を求め、その検量線により成分含有量未知のサンプルの所定成分の含有量を推定する成分含有量推定法において、前記検量線を求めるにあたり主波長で構成される項の温度依存性が正または負のとき、負または正の逆特性の波長の吸収量で構成される項を用いたことを特徴とするものである。
【０００６】
なお、波長λにおける吸光度Ａは、入射光の光強度Ｉｉと透過光の光強度Ｉの比（透過率）の常用対数をとったＡ＝−ｌｏｇ10（Ｉ／Ｉｉ）の式にて得られる。
【先行技術文献】
【特許文献】
【０００７】
【特許文献１】特開平０７−１９８６０２号公報
【発明の概要】
【発明が解決しようとする課題】
【０００８】
しかしながら、吸光度Ａは、入射光の光強度Ｉｉと透過光の光強度Ｉをそれぞれ測定する必要があるが、損失の大きな被検査物を検査する場合には、入射光の光強度Ｉｉと透過光の光強度Ｉの比が大きく測定が難しくなり、実現しようとした場合には高価な測定系を必要とするという問題があった。
【０００９】
そこで、本発明は上記問題点に鑑みてなされたものであって、小型かつ安価で、測定時間が短く、被検査物にダメージを与え難い検査が可能な物質特性検査装置を提供することを目的としている。
【課題を解決するための手段】
【００１０】
上記目的を達成するため、本発明に係る物質特性検査装置は、被検査物Ｗを搬送する搬送部２と、
前記搬送部にて搬送される前記被検査物の任意の物質特性によって該被検査物の透過光または反射光の光強度が変化する波長の光源３と、
前記光源を前記被検査物に照射する照射部４と、
前記被検査物の前記透過光または反射光を受光する受光部５と、
前記受光部からの出力信号から前記透過光または反射光の光強度を検出する信号検出部６と、
物質特性値が既知である複数のテストピースの物質特性値を入力する物質特性値入力部７と、
前記被検査物の良否を判定するための検査設定値を入力する検査設定値入力部８と、
前記信号検出部で検出した前記透過光または反射光の光強度から前記被検査物の物質特性値を求める処理部９と、を備え、
前記処理部は、前記物質特性値入力部で入力した前記複数のテストピースの物質特性値と前記信号検出部で検出した前記複数のテストピースの透過光または反射光の光強度から物質特性値と光強度の関係式を算出し、前記信号検出部で検出した前記被検査物の透過光または反射光の光強度と前記関係式から前記被検査物の物質特性値を算出し、算出した前記被検査物の物質特性値と前記検査設定値入力部より入力された検査設定値とを比較して前記被検査物の良否を判定することを特徴とする。
【００１１】
本発明に係る物質特性検査装置は、前記被検査物Ｗに照射される光に一定周期の変調を加える光チョッパ１２を備え、
前記信号検出部６は、前記光チョッパにて変調した変調光に同期した参照信号を用いたロックインアンプ方式にて同期検波するようにしてもよい。
【００１２】
本発明に係る物質特性検査装置は、前記検査設定値と、前記関係式を算出する際に得た統計データとから前記被検査物Ｗの良否を判定するための判定範囲を自動的に設定するようにしてもよい。
【００１３】
本発明に係る物質特性検査装置において、前記物質特性値入力部７は、複数の物質特性から選択し、選択した物性特性に対する前記テストピースの既知の物質特性値を入力するようにしてもよい。
【００１４】
本発明に係る物質特性検査装置において、前記物質特性値がリニアデータ、前記光強度が対数データであってもよい。
【発明の効果】
【００１５】
本発明によれば、吸光度ではなく、物質特性値が既知のテストピースを用いることにより、小型かつ安価で、測定時間が短く、被検査物にダメージを与え難い任意の物質特性値（含有量、密度、打錠圧、空隙率など）の検査が可能である。
【図面の簡単な説明】
【００１６】
【図１】本発明に係る物質特性検査装置のブロック構成図である。
【図２】物質特性値と光強度の関係式に関する説明図である。
【図３】テストピースを用いた処理手順を示すフローチャートである。
【図４】検査時の処理手順を示すフローチャートである。
【図５】本発明に係る物質特性検査装置の他の形態を示すブロック構成図である。
【発明を実施するための形態】
【００１７】
以下、本発明を実施するための形態について、添付した図面を参照しながら詳細に説明する。
【００１８】
［本発明の概要］
本発明は、食品や薬品などに含まれる任意の物質の含有量、密度、打錠圧、空隙率などの物質特性を検査する物質特性検査装置である。
【００１９】
本発明では、物質特性を検査するにあたって、特許文献１に開示されるような吸光度ではなく、透過光（または反射光）の光強度を測定し、測定した透過光（または反射光）の光強度を物質特性値の算出（推定）に利用する。しかし、透過光（または反射光）の光強度測定は、さまざまな条件（例えば照射光の光強度の変化）により測定値が変化する相対値測定である。このため、本発明では、あらかじめ算出（推定）する物質特性値として既知のテストピースを用いた測定値を利用することにより、さまざまな条件による測定値の変化の影響を抑えた検査を実現する。
【００２０】
［物質特性検査装置の構成について］
図１に示すように、物質特性検査装置１（１Ａ）は、搬送部２、光源３、照射部４、受光部５、信号検出部６、物質特性値入力部７、検査設定値入力部８、処理部９、記憶部１０、表示部１１を備えて概略構成される。
【００２１】
搬送部２は、被検査物Ｗを搬送路上で所定間隔おきに順次搬送するもので、例えば装置本体に対して水平に配置されたベルトコンベアで構成される。
【００２２】
搬送部としてのベルトコンベア２は、被検査物Ｗの検査を行う際に、被検査物Ｗを搬送するための搬送ベルトが予め設定された搬送速度により駆動制御される。これにより、被検査物Ｗは、ベルトコンベア２上を図１の搬送方向Ｘに所定間隔おきに搬送される。
【００２３】
なお、ベルトコンベア２は、受光部５が被検査物Ｗからの透過光を受光する場合は、光源３から照射部４を介して照射される光を透過するように、搬送ベルトが光透過性ベルトで構成される。
【００２４】
光源３は、被検査物Ｗの任意の物質特性によって被検査物Ｗの透過光または反射光の光強度が変化する波長の光を出力する。
【００２５】
照射部４は、光源３が出力する光を被検査物Ｗに照射するものであり、例えば光源３が出力する光を光ファイバにて伝搬し、光ファイバの端面から出射される光をコリメートレンズにて平行光にして被検査物Ｗに照射する。
【００２６】
受光部５は、照射部４から被検査物Ｗへの光の照射に伴う被検査物Ｗからの透過光または反射光を受光する。
【００２７】
信号検出部６は、受光部５にて検出した被検査物Ｗからの透過光または反射光の光強度を検出する。
【００２８】
物質特性値入力部７は、被検査物Ｗと同一種類で物質特性値が既知である複数のテストピースの物質特性値を入力するもので、各テストピースの物質特性値として、複数の物質特性（含有量、密度、打錠圧、空隙率など）から一つの物質特性を選択して既知の値を表示部１１の入力画面上で入力する。
【００２９】
これにより、任意の物質特性の検査項目を選択することができ、選択した検査項目に対応した被検査物Ｗの測定および表示が可能となる。
【００３０】
検査設定値入力部８は、被検査物Ｗの良否を判定するための検査設定値を表示部１１の入力画面上で入力する。検査設定値は、処理部９にて算出される物質特性値と比較するもので、被検査物Ｗを良品として判定するための物質特性値の範囲を示す判定範囲値である。
【００３１】
処理部９は、被検査物Ｗの検査に関わる処理を行うものであり、物質特性値入力部７で入力した複数のテストピースの物質特性値と、複数のテストピースに光源３からの光を照射したときに信号検出部６にて検出した各テストピースの透過光または反射光の光強度とから物質特性値と光強度の関係式を算出し、算出した物質特性値と光強度の関係式（検量線）、関係式の算出時に得られた統計データを記憶部１０に記憶する。
【００３２】
ここで、物質特性値と光強度の関係式（検量線）の算出方法について図２を参照しながら説明する。ここでは、物質特性値を成分含有量とし、成分含有量が既知の２つのテストピースを用いて透過光の光強度を測定する場合を例にとって説明する。
【００３３】
成分含有量が既知の２つのテストピースに対して順番に光源３からの光を照射部４から照射して透過光の光強度を測定し、成分含有量と光強度の関係式を求める。なお、成分特性値はリニアデータ、光強度は対数データとする。
【００３４】
成分含有量（Ｍ［ｍｇ］）と光強度（Ａ［ｄＢ］）とがＭ＝ａＡ＋ｂ…式（１）の関係にある場合、信号検出部６にて検出した成分含有量Ｍ１のテストピース１の透過光の光強度をＴ１（リニア値）、成分含有量Ｍ２のテストピース２の透過光の光強度をＴ２（リニア値）とすると、テストピース１の光強度（吸収量）Ａ１＝−Ｌｏｇ（Ｔ１）…式（２）、テストピース２の光強度（吸収量）Ａ２＝−Ｌｏｇ（Ｔ２）…式（３）となる。
【００３５】
また、上記式（１）より、Ｍ１＝ａＡ１＋ｂ…式（４）、Ｍ２＝ａＡ２＋ｂ…式（５）となる。
【００３６】
以上より、テストピース１とテストピース２の光強度（Ａ１，Ａ２）、および成分含有量（Ｍ１，Ｍ２）から成分含有量Ｍと光強度Ａの関係式Ｍ＝ａＡ＋ｂ（図２に示す直線による検量線）を算出し、算出した関係式のパラメータ、関係式の算出時のデータ（成分含有量、透過光の光強度、吸収量）を記憶部１０に記憶する。
【００３７】
なお、上述した例では、既知の成分含有量Ｍ１，Ｍ２の２つのテストピースの透過光の光強度を１回測定し、この１回の測定で得られる透過光の光強度から成分含有量と光強度の関係式を求める場合であるが、これに限定されるものではない。例えば既知の成分含有量Ｍ１，Ｍ２の２つのテストピースの透過量の光強度の測定を複数回試行し、この複数回の測定で得られる透過光の光強度の平均値を求め、この透過光の光強度の平均値から２つのテストピースの光強度（吸収量）Ａ１，Ａ２を求め、２つのテストピースの光強度（Ａ１，Ａ２）、および成分含有量（Ｍ１，Ｍ２）から成分含有量Ｍと光強度Ａの関係式Ｍ＝ａＡ＋ｂを算出してもよい。このときのデータ（成分含有量、透過光の光強度、吸収量）とそれらから算出した統計データ（例えば平均値、分散など）は記憶部１０に記憶される。
【００３８】
また、物質特性値によっては、生産設備の設定値（例えば打錠圧）や環境（温度、湿度）の違いなどにより、検量線に変化が発生するため、定期的にテストピースによる検量線の算出を行って記憶部１０に更新記憶するのが好ましい。これにより、より精度の高い検査を行うことが可能となる。
【００３９】
また、検査設定値入力部８から入力した検査設定値と、物質特性値と光強度の関係式を算出する際に得た統計データとから被検査物Ｗの良否を判定するための検査設定値の判定範囲を自動的に設定してもよい。
【００４０】
処理部９は、信号検出部６にて検出した被検査物Ｗの透過光または反射光の光強度と記憶部１０に記憶した物質特性値と光強度の関係式（検量線）とから被検査物Ｗの物質特性値を算出し、算出した物質特性値と検査設定値入力部８で入力した検査設定値（判定範囲値）とを比較して被検査物の良否を判定する。すなわち、処理部９は、算出した物質特性値が判定範囲値の範囲内に有れば被検査物Ｗを良品と判定し、算出した物質特性値が判定範囲値の範囲内に無ければ被検査物Ｗを不良品と判定する。
【００４１】
記憶部１０は、処理部９が算出した物質特性値と光強度の関係式（検量線）のパラメータ、関係式の算出時の統計データを記憶する。また、記憶部１０は、物質特性値入力部７から入力された物質特性値、検査設定値入力部８から入力された検査設定値を含め、被測定物Ｗの検査に関する各種設定情報を記憶する。
【００４２】
表示部１１は、例えば液晶表示器などの表示装置で構成され、物質特性値入力部７からの物質特性値や検査設定値入力部８からの検査設定値（判定範囲値）を入力するための入力画面、被検査物Ｗの検査総数、処理部９による被検査物Ｗの判定結果（良品数、不良品数）を含む測定検査画面などを表示画面に表示する。
【００４３】
［物質特性検査装置の動作について］
次に、上記のように構成される物質特性検査装置１を用いて被検査物Ｗの物質特性を検査する場合の動作について図３および図４のフローチャートを参照しながら説明する。
【００４４】
まず、表示部１１の入力画面において、使用する複数のテストピースの既知の物質特性値を物質特性値入力部７から入力する（ＳＴ１）。
【００４５】
そして、物質特性値が既知の複数のテストピースを搬送部２にて順次搬送し、光源３からの光を照射部４から複数のテストピースに対して順番に照射する（ＳＴ２）。そして、それぞれのテストピースを透過した光を受光部５にて受光し、信号検出部６にてそれぞれのテストピースの透過光の光強度を測定する（ＳＴ３）。このとき測定した透過光の光強度は対数値として得られる。
【００４６】
次に、それぞれのテストピースにおける物質特性値と透過光の光強度から、それぞれのテストピースの光強度（吸収量）を算出し、それぞれのテストピースの物質特性値と光強度から物質特性値と光強度の関係式に基づく検量線を算出する（ＳＴ４）。そして、算出した検量線データと、検量線の算出時に得られた統計データをそれぞれのテストピースの物質特性値とともに記憶部１０に記憶する（ＳＴ５）。
【００４７】
そして、上述した処理を終えると、表示部１１の入力画面において、検査対象となる被検査物Ｗの良否を判定するための検査設定値（判定範囲値）を検査設定値入力部８から入力する（ＳＴ１１）。
【００４８】
次に、検査対象となる被検査物Ｗを搬送部２にて順次搬送し、光源３からの光を照射部４から被検査物Ｗに対して順番に照射する（ＳＴ１２）。そして、被検査物Ｗを透過した光を受光部５にて受光し、信号検出部６にて透過光の光強度を測定する（ＳＴ１３）。このとき測定した透過光の光強度は対数値として得られる。
【００４９】
次に、信号検出部６にて測定した透過光の光強度と検量線データから、被検査物Ｗの物質特性値を算出し（ＳＴ１４）、算出した被検査物Ｗの物質特性値と検査設定値とを比較して被検査物Ｗの良否を判定する（ＳＴ１５）。
【００５０】
［物質特性検査装置の他の形態について］
ところで、他の形態の物質特性検査装置１（１Ｂ）として、図５に示すように、光チョッパ１２を備えた構成としてもよい。なお、図５において、図１と同一の構成要素には同一番号を付し、その説明を省略している。
【００５１】
光チョッパ１２は、光源３から照射部４を介して被検査物Ｗに照射される光に一定周期の変調を加える。
【００５２】
また、信号検出部６は、光チョッパ１２にて変調した変調光に同期した参照信号を用いたロックインアンプ方式にて同期検波する。
【００５３】
図５の物質特性検査装置１Ｂによれば、照射部４から被検査物Ｗに照射される光に変調を加えた変調光を被測定光として用い、信号検出部６にて同期検波するので、被検査物Ｗの透過光または反射光に含まれる不要光を除去し、より高感度な測定が可能になる。
【００５４】
このように、本実施の形態の物質特性検査装置は、上記のように吸光度（絶対値）ではなく、物質特性値が既知のテストピースを用いた測定により物質特性値と光強度の関係式を算出する。そして、算出したテストピースの物質特性値と光強度の関係式を元に、被検査物の光強度から算出される物質特性値と検査設定値（判定範囲値）との比較により被検査物の良否を検査する。
【００５５】
そして、本実施の形態の物質特性検査装置は、小型かつ安価にて実現することができ、任意の波長成分のみの光を被検査物に照射した際に得られる透過光または反射光の光強度から波長成分の減衰量を算出するので、広帯域スペクトル測定を行う必要がなく、測定時間の短縮を図ることができる。
【００５６】
また、必要とする波長成分のみの光を被検査物に照射するため、広帯域光源を用いた場合と比較して、被検査物への全照射光パワーを抑えることができ、光の照射による被検査物へのダメージを抑えて食品や薬品などに含まれる任意の物質特性値（含有量、密度、打錠圧、空隙率など）の検査を行うことができる。
【００５７】
以上、本発明に係る物質特性検査装置の最良の形態について説明したが、この形態による記述および図面により本発明が限定されることはない。すなわち、この形態に基づいて当業者等によりなされる他の形態、実施例および運用技術などはすべて本発明の範疇に含まれることは勿論である。
【符号の説明】
【００５８】
１（１Ａ，１Ｂ）  物質特性検査装置
２  搬送部
３  光源
４  照射部
５  受光部
６  信号検出部
７  物質特性値入力部
８  検査設定値入力部
９  処理部
１０  記憶部
１１  表示部
１２  光チョッパ
Ｗ  被検査物
【図１】
2020085467.tif 000003
【図２】
2020085467.tif 000004
【図３】
2020085467.tif 000005
【図４】
2020085467.tif 000006
【図５】
2020085467.tif 000007